(57)【要約】      （修正有）【課題】  六角ナットに邪魔されずに着脱できる座金把持ソケットの提供。【解決手段】  六角ナットとその下に配された同寸法の六角座金５とが収容できる一方に開口した中空部を有する軸体からなり、その軸体の開口内縁に半径方向に拡張した複数個の凹部１３を設け、ぞれぞれの凹部に前記六角座金の外側面の少なくとも一つが当接できる少なくとも一つのフランク１４を設けてなる六角座金用把持ソケット。【選択図】  図２
2005059202.tif 000002
【特許請求の範囲】
【請求項１】
六角ナットとその下に配された同寸法の六角座金とが収容できる一方に開口した中空部を有する軸体からなるソケットにおいて、軸体の開口内縁に半径方向に拡張した複数個の凹部を設け、ぞれぞれの凹部に前記六角座金の外側面の少なくとも一つが当接できる少なくとも一つのフランクを設け、前記の六角ナットと六角座金との外側面が互いに同一面上に在る場合でも、同一面上にない場合でも、前記六角ナットを跨いで六角座金の外側面に係合することを特徴とする六角座金用把持ソケット。
【請求項２】
前記中空軸体の開口内縁の平面形状が、周方向に配された６個の内向き尖端と、周方向に配された１２個の外向き尖端を持ち、隣り合う内側尖端の間に在る２つの外向き尖端が外向きに凸の円弧で結ばれた形状にあり、前記のフランクを内向き尖端に設けた請求項１記載の六角座金用把持ソケット。
【請求項３】
前記中空軸体の開口内縁の平面形状が、周方向に配された１２個の内向き尖端を、ひとつ置きに切除した形状にある請求項２記載の六角座金用把持ソケット。
【請求項４】
前記中空軸体の開口端と対向する閉塞端に、ナットを緊締又は弛緩する工具との連結手段を設けた請求項１記載の六角座金用把持ソケット。
【発明の詳細な説明】
【技術分野】
【０００１】
六角ナットの下でこれと同寸法の六角座金を把持するためのソケットに関する。
【背景技術】
【０００２】
ネジ付きコネクターを構成するナットを回転させるために一つの駆動ソケットを用い、前記コネクターを構成する座金を把持して反力を中和するために別の把持ソケットを用いることは、米国特許第5,499,558号、同第6,253,642号、同第6,254,322号、同第6,230,586号、同第6,461,093号及び同第6,490,952号などに記載されていて公知である。ナットと座金が共に六角外形を有し、しかもその寸法が同じであると、把持ソケットの六角開口を座金に係合させることが多くの場合困難である。何故なら、座金の六角外形とナットの六角外形とが周方向に少しでもずれている場合には、把持ソケットの六角開口と座金との係合が、座金の上に位置するナットによって邪魔されるからである。軸方向に並置するナットと座金を、それぞれの六角外形が軸方向から見て一致させるためには、ナットと座金のどちらかを回転させなければならないが、これは容易でない。
【発明の開示】
【発明が解決しようとする課題】
【０００３】
従って、本発明の目的の一つは、従来技術の不都合を払拭して、六角ナットの下に配される同寸法の六角底部部材（六角座金）を把持できるソケットを提供することにある。
【課題を解決するための手段】
【０００４】
しかして本発明に係るソケットは、六角ナットとその下に配置された同寸法の六角部材（六角座金）を収容できる一方に開口した中空部を設けた軸体で構成され、前記の中空部の開口内縁に、半径方向外側に拡張した６個の凹部を設け、それぞれの凹部に、前記六角部材の外側面の少なくとも一つと当接する少なくとも一つのフランクを設け、前記六角ナットと六角部材の外側面が互いに合致している場合も、また円周方向にずれている場合も、前記六角ナットを跨いで六角部材に係合できるよう、前記中空部の開口縁を形成したことを特徴とする。
【０００５】
本発明に従って把持ソケットを設計すれば、六角ナットと六角部材（六角座金）が互いに周方向にずれていても、本発明に係るソケットの中空部開口縁を、六角ナットを跨いで六角部材の六角外形に嵌合させることができる。
【０００６】
本発明の別の態様によれば、ソケットを構成する中空軸体の開口内縁の平面形状は、周方向に配された６個の内向き尖端と１２個の外向き尖端を持ち、隣り合う２つの内向き尖端の間に位置する２つの外向き尖端同士は、外向き凸の円弧で結ばれた形状にある。
本発明のさらに別の態様によれば、ソケットの凹部付き中空部開口縁の平面形状は、円周に１２個の等しい凹部を設け、隣り合う凹部の間で内側に突き出る１２個の尖端を一つおきに除去した形状に実質的に対応する。
【発明を実施するための最良の形態】
【０００７】
以下、添付図面に沿って本発明のソケットをさらに具体的に説明する。
図１において、符号１はネジ付きコネクターの全体を示し、符号２１はそのコネクターを緊締又は弛緩するための工具を示す。ネジ付きコネクター１は、ボルト２と六角ナット４を備え、このボルト２は、一例として互いに接合される２つの部材からなる物体３に挿入されている。六角ナット４は、ボルト２に螺合されると共に、そのボルトの下面と物体３の上面との間に位置する六角部材５とも螺合する。六角部材５は、座金とも底ナットとも呼ぶことができ、このものは、ボルト２のネジ部に係合する内周面を持つことができる。
【０００８】
ナット４は、工具２１の駆動ソケット６によって回転させられる。駆動ソケット６は、工具２１の回転軸７に連結された上部円筒部と、その円筒部から下方に延びてナット４の六角外面形状に適合する六角開口を備えている。工具２１の回転軸７が回転すると、駆動ソケット６も回転してボルト２に嵌ったナット４を回転させる。ナット４が回転している間、反力がボルト２や、ボルト２に係合している六角部材（底ナット又は座金）５に掛かる。
【０００９】
この反力を中和するために、保持ソケット８が設けられる。この保持ソケット８は、回転軸７を取り囲んで、例えばスプラインによって工具２１の非可動部１０に連結される頂部を持つ円筒部９と、この円筒部を下方に延長させてその下端部に設けた把持部１１とで構成されている。下端の把持部１１は、六角部材５と嵌合してこれを非回転状態に保持する役割を果たす。従って、保持ソケット８は、その把持部１１を六角部材５に嵌合させて反力を中和（吸収）する。この時、六角部材が回転することはなく、ボルト２も軸方向に僅かにずれるだけで、回転することはない。
【００１０】
図２は、保持ソケット８の把持部１１の横断面図である。把持部１１の内側開口１２には、少なくとも一つのフランク（横腹）１４を持つ複数個の凹部１３が在り、そのフランク１４は、底ナット又は座金からなる六角部材５の少なくとも一つの外側面に当接する。従って、向き合う２つのフランク１４間の距離は、六角部材の最小径に等しい。また、凹部１３を設けた内側開口１２は、周方向に均等に配列した６個の内向き尖端１５と、１２個の外向き尖端１６を備え、隣り合う２つの内向き先端の間に在る２つの外向き尖端１６の間は、外側に凸の面１７が設けられる。向き合う２つの凸面１７間の距離は、六角部材の最大径より若干大きい。内側開口１２の平面形状（横断面）は、開口周縁から内側に延びる１２個の尖端を周方向に等間隔で設け、その内向き尖端１８をひとつ置きに切除した形状とすることができ、六角部材の外側面と当接する前記のフランク１４は、残存する６個の内向き尖端１５に設けることが好ましい。
【００１１】
保持ソケット８における把持部１１の内側開口１２の内周は、六角部材５の六角形外周のどれかひとつの面に、フランク１４が合致している時（図２参照）だけでなく、その合致からフランク１４が円周方向にずれた時でも、保持ソケット８が、六角形断面を呈する六角部材の外周に嵌合できるように形成されている。そのため、保持ソケット８は、ナット４及び六角部材５を跨いで軸方向に動かすことができ、ナット４及び底部部材５の六角外形が一致せずにずれている場合でも、保持ソケット８は軸方向に動かすことができる。
【００１２】
図２は、緊締過程にある保持ソケット８を示していて、保持ソケット把持部１１の内側開口でのフランク１４は、外形断面が六角形を呈する六角部材５の側面に当接している。図３は、ナット４の上から見た図２と同様な図であって、図３から分かるように、ネジ付きコネクターが締め付けられている時は、保持ソケット８の把持部１１が軸方向上側に外れる事態を、ナット４で阻止することができる。何故なら、前記把持部１１の半径方向内向き延びた複数個の尖端に、ナット４が重なるからである。保持ソケット８を取り外すには、図４に示すように、ナット４の角が、把持部１１に設けた凹部１３の位置に来るまで保持ソケットを回転させ、しかる後、保持ソケット８を軸方向上側に引っ張ることで、ナット４及び六角部材５から外すことができる。
【００１３】
図示の実施例では、駆動ソケット６の円筒部外周面が、保持ソケット８の円筒部内周面に接しているが、回転軸７を中心とする駆動ソケット６の回転が、保持ソケット８によって邪魔されることはない。駆動ソケット６と保持ソケット８とを非接触状態に保持することも可能である。
【図面の簡単な説明】
【００１４】
【図１】ネジ付きコネクターを緊締及び弛緩するための本発明のソケットを備えたトルクレンチの部分断面図。
【図２】図１の２−２線での断面図であって、底部六角部材と係合して保持ソケットを示す。
【図３】図２と実質的に同様は断面図であって、保持ソケットの脱離をナットが阻止している状態をしめす。
【図４】図３と実質的に同様な断面図であって、ナットが保持ソケットの離脱を阻止できない位置に保持ソケットが回転した状態を示す。
【符号の説明】
【００１５】
１：コネクター            ２：ボルト            ３：ボルトが挿入された物体
４：ナット            ５：底部六角部材（底ナット又は座金）
６：駆動ソケット            ７：回転軸            ８：保持ソケット
９：保持ソケットの上部円筒部            １０：工具の非可動部
１１：保持ソケットの把持部            １２：把持部の内側開口
１３：凹部            １４：フランク            １５：内側尖端
１６：外側尖端            １７：周面            １８：切除された内向き尖端
２１：工具
【図１】
2005059202.tif 000003
【図２】
2005059202.tif 000004
【図３】
2005059202.tif 000005
【図４】
2005059202.tif 000006